(57)【要約】  本発明は、飛翔昆虫用捕獲器の殺虫挿入物に関し、該殺虫挿入物の少なくとも一つの面には、ネオニコチノイド殺虫剤と食品誘引物質を含む組成物が塗布される。【選択図】なし【特許請求の範囲】
【請求項１】
挿入物の少なくとも１つの面に塗布される殺虫剤と誘引物質を含む、
飛翔昆虫用捕獲器の殺虫挿入物。
【請求項２】
前記殺虫剤は、ネオニコチノイド殺虫剤である、
請求項１に記載の飛翔昆虫用捕獲器の殺虫挿入物。
【請求項３】
前記ネオニコチノイド殺虫剤は、アセタミプリドまたはイミダクロプリドの中から選ばれる１または複数種の殺虫剤である、
請求項２に記載の飛翔昆虫用捕獲器の殺虫挿入物。
【請求項４】
前記殺虫剤は、アセタミプリドである、
請求項３に記載の飛翔昆虫用捕獲器の殺虫挿入物。
【請求項５】
前記殺虫剤は、殺虫剤と誘引物質の組成物中に含まれる全成分に対して、１重量％〜１０重量％の範囲で存在する、
請求項２に記載の飛翔昆虫用捕獲器の殺虫挿入物。
【請求項６】
前記誘引物質は、食品誘引物質である、
請求項１に記載の飛翔昆虫用捕獲器の殺虫挿入物。
【請求項７】
前記食品誘引物質は、グラニュー糖、粗糖または液糖の中から選ばれる１または複数種の食品誘引物質である、
請求項６に記載の飛翔昆虫用捕獲器の殺虫挿入物。
【請求項８】
前記食品誘引物質は、殺虫剤と誘引物質の組成物中に含まれる全成分に対して、９０重量％〜９９．８重量％の範囲で存在する、
請求項６に記載の飛翔昆虫用捕獲器の殺虫挿入物。
【請求項９】
さらに、苦味剤を含む、
請求項１に記載の飛翔昆虫用捕獲器の殺虫挿入物。
【請求項１０】
飛翔昆虫用捕獲器の殺虫挿入物が、少なくとも１つの面に塗布される殺虫剤と誘引物質の組成物を含み、
該殺虫挿入物が、飛翔昆虫を防除するのに望ましい場所に配置される、
飛翔昆虫を防除する方法。
【請求項１１】
前記挿入物は、飛翔昆虫用捕獲器内に配置される、
請求項８に記載の飛翔昆虫を防除する方法。
【発明の詳細な説明】
【技術分野】
【０００１】
本発明は、殺虫器具を含む飛翔昆虫用捕獲器と飛翔昆虫を防除する方法に関する。
【背景技術】
【０００２】
屋内領域におけるハエ類や他の飛翔昆虫の駆除が長年問題とされている。ハエ類は、煩わしいばかりでなく、汚物を発生し、多様な数多くの病原菌を運搬し、病気を拡散するので、人間にとって有害である。そのため、個人宅だけでなく、食品市場、レストラン、ゴミ置き場の周辺や近所の領域などの商業地域や公共区域においても、ハエを駆除することが望まれている。
【０００３】
光源と、交換可能な粘着シートまたは接着ボードとを用いる飛翔昆虫用捕獲器は、意図した目的に沿って極めて良好に作動する。これらの装置の代表例は、特許文献１乃至６に開示される。飛翔昆虫用捕獲器は、市販されていて、紫外光と接着ボードに塗布されたフェロモンを用いて、ハエ類などの昆虫を誘引して捕獲するものであり、例えば、ＣＢ（登録商標）Ｉ．Ｑ．Ｐｒｏ  ＦｌｙｌｉｇｈｔとＣＢ（登録商標）Ｉ．Ｑ．Ｓｔａｎｄａｒｄ  Ｆｌｙｌｉｇｈｔが挙げられる。両者は、ＣＢ  Ｐｒｏｓｅｓｓｉｎａｌ  Ｐｒｏｄｕｃｔから入手できる。上述の装置は粘着シートまたは接着ボードを簡単に交換できるように設計されるが、昆虫の腐敗に起因する不快な外観または臭いを避ける場合、粘着シートまたは接着ボードを頻繁に交換する必要がある。このプロセスは、極めて不快な手順となる可能性がある。接着ボードを備えた誘虫灯を用いて、大量のハエの侵襲を防除する場合、ｐｅｓｔ  ｍａｎａｇｅｍｅｎｔ  ｐｒｏｆｅｓｓｉｏｎａｌｓに掲載された一般的な苦情には、接着ボードがハエの死骸で即座に埋め尽くされるので、誘虫灯の有効性が、短時間で低下するというものがある。有効性を維持するには、接着ボードを頻繁に交換する必要がある。
【先行技術文献】
【特許文献】
【０００４】
【特許文献１】米国特許第４６９６１２６号明細書
【特許文献２】米国特許第４９４９５０１号明細書
【特許文献３】米国特許第４１１７６２４号明細書
【特許文献４】米国特許第５９１５９４８号明細書
【特許文献５】米国特許第６１０８９６６号明細書
【特許文献６】米国特許第７４６９４９９号明細書
【発明の概要】
【発明が解決しようとする課題】
【０００５】
簡単に使用でき、安価な飛翔昆虫用捕獲器具を提供できると好都合である。該器具は、従来の捕獲器の粘着シートまたは接着ボードと比べると、昆虫で覆われた粘着シートまたは接着ボードを交換する必要がないので、有効である。
【課題を解決するための手段】
【０００６】
本発明によれば、器具に塗布される殺虫剤と誘引物質の組成物を含む飛翔昆虫用捕獲器具によって、該器具を汚さずに飛翔昆虫を防除できることが分かった。特に、本発明は、ネオニコチノイド殺虫剤と食品誘引物質を含む組成物が塗布された飛翔昆虫用捕獲器に関する。本発明の他の態様も明らかになる。
【発明を実施するための形態】
【０００７】
本発明は、飛翔昆虫用捕獲殺虫器具（取り付け具）に関する。該器具は、接着ボードの代わりに使用され、該器具の少なくとも１面に塗布される殺虫剤と誘引物質の組成物を含む。特に、本発明は、少なくとも１面にネオニコチノイド殺虫剤と食品誘引物質を含む組成物が被覆された飛翔昆虫用捕獲殺虫器具に関する。
【０００８】
捕獲殺虫器の支持部は、殺虫剤／誘引物質混合物の耐用寿命に渡って殺虫剤／誘引物質混合物を保持する材料で形成される必要がある。使用に適した支持材料には、透明フィルム、例えば、３Ｍの銘柄であるｔｒａｎｓｐａｒｅｎｃｙ  ｆｉｌｍ  ＰＰ２２００、ＰＰ２５００およびＰＰ２９５０のようなフレキシブルフィルム、高密度ポリウレタン、ＰＶＣおよびＰＶＡのようなプラスチック、および厚紙、プレキシガラス、ガラス、セラミック、金属および木材のような他の支持部材が一例として含まれる。
【０００９】
飛翔昆虫捕獲器において、接着ボードの代わりに殺虫機器を用いた場合、捕獲器に引き寄せられた昆虫は、さらに殺虫機器に塗布した殺虫剤／誘引物質に引き寄せられ、該殺虫剤／誘引物質の皮膜に接触し、あるいは該皮膜を経口摂食し、死亡して捕獲器の底部に落下し、例えば、トレーまたは引き出しのような取り外し可能なな収集容器内に収集される。ある昆虫捕獲装置では、接着シートの２つの面が露出していて、ハエ類が捕獲される。このような装置は、例えば、米国特許第６１０８９６６号明細書に開示される。両面型の接着シートに代えて、本発明の殺虫機器を用いる場合、該機器の両面を殺虫剤と誘引物質を含む混合物で被覆する。
【００１０】
本発明の殺虫剤／誘引物質を塗布した器具を用いる利点は、ネオニコチノイドと食品誘引物質を含む組成物が、６ヶ月以上持続できることである。また、器具の１面を殺虫剤／誘引物質の皮膜で覆うと、他の面に接着剤を塗布できるので、飛翔昆虫用捕獲器であれば、どんなものであっても、その内側または外側に該器具を取り付けることができるし、該器具を単独で壁や天井に取り付けて使用できることも、本発明の利点である。
【００１１】
殺虫剤／誘引物質の混合物は、ネオニコチノイド殺虫剤と食品誘引物質を含むと好ましい。ネオニコチノイド殺虫剤は、（Ｅ）−Ｎ−[（６−クロロ−３−ピリジニル）メチル]−Ｎ’−シアノ−Ｎ−メチルエタンイミダミド（アセタミプリド）および１−[（６−クロロ−３−ピリジニル）メチル]−Ｎ−ニトロ−２−イミダゾリジンイミン（イミダクロプリド）の中から選ばれる１または複数種の殺虫剤である。好適な殺虫剤は、アセタミプリドである。ネオニコチノイド殺虫剤は、殺虫剤／誘引物質の混合物中に含まれる全ての成分に対して、０．１重量％〜１０重量％の範囲で、殺虫剤／誘引物質の混合物中に存在すると好ましく、０．３重量％〜５重量％の範囲で存在するとより好ましい。食品誘引物質は、グラニュー糖、粗糖、または、例えば、高フルクトースコーンシロップまたはメープルシロップなどの液糖の中から選ばれる１または複数種の食品誘引物質であると好ましい。食品誘引物質は、殺虫剤／誘引物質の混合物中に含まれる全ての成分に対して、９０重量％〜９９．８重量％の範囲で存在すると好ましく、９５重量％〜９６重量％の範囲で存在すると好ましい。さらに、殺虫剤／誘引物質の混合物には、苦味剤、例えば、ＭａｃＦａｒｌａｎ  Ｓｍｉｔｈから入手可能な銘柄がＢＩＴＲＥＸ（登録商標）である安息香酸デナトニウムが含まれてもよく、該苦味剤は、混合物中に含まれる全ての成分に対して、０．０１重量％〜０．１重量％の範囲で存在してもよい。
【００１２】
以下の実施例は、本発明をさらに説明したものであるが、当然、本発明の範囲を多少なりとも限定するように構成されるべきではない。実施例では、本発明の組成物の改良された有効性を示す特定のデータが明らかにされる。
【実施例】
【００１３】
（実施例１）
[殺虫剤／誘引物質で被覆されたハエ捕獲器用挿入物の製造と試験]
混合機内に、高フルクトースコーンシロップ９５５．５グラム、工業用アセタミプリド４４．０グラム、および安息香酸デナトニウム０．５ｇを加えた。該混合物を３０分間混合し、高濃度シロップを形成した。寸法がそれぞれ１インチ×６インチであり、１つの面に紙シートで保護された接着剤の被覆を有する透明なプラスチックフィルム挿入物の、接着剤と対向する面に、殺虫剤／誘引物質をローラーコートし、乾燥させた。乾燥後、殺虫剤／誘引物質の被覆を紙で覆って損傷から保護した。
【００１４】
殺虫剤／誘引物質で皮膜された本発明の挿入物の殺虫力を、以下の手順に従って、試験した。
【００１５】
各試験の初日に、６０匹のイエバエ（Ｍｕｓｃａ  ｄｏｍｅｓｔｉｃａ）の蛹を、模擬的な台所の床上にあるプラスチック製の計量ボート中に配置した。模擬的な台所の寸法は、３．１メートル×１．９メートル×２．７メートルであり、該台所は、木目が描かれた仕切壁、ビニル製のタイル床と標準的な床、および吊り戸棚を有する実際の家庭の台所の模造であった。模擬的な台所は、環境光を入射できる１枚の窓と２本の蛍光灯を頭上に備えていた。模擬的な台所は、天井にだけ入口を有していて、ハエ逃避防止（ｆｌｙ  ｅｓｃａｐｅ  ｐｒｏｏｆ）構造であった。市販のハエの誘虫灯であるＣＢ（登録商標）Ｉ．Ｑ．Ｓｔａｎｄａｒｄ  Ｆｌｙｌｉｇｈｔは、窓の反対側にある吊り戸棚に貼り付けられ、窓から約３メートル離れていた。誘中灯のランプは、各試験を継続している間点灯しておいた。水の皿と食物（グラニュー糖と粉末乾燥ミルクの体積比で５０：５０の混合物）の皿は、ハエの誘虫灯または又は下記の処理位置から約８インチ離れて配置された。試験では、殺虫剤／誘引物質が皮膜された挿入物は接着ボードと交換され、新たに開封された挿入物が使用され、あるいは紫外光に一週間曝されて劣化された挿入物が使用された。成虫のハエの出現と死亡率を３日間または全てのハエが出現するまで毎日評価した。環境条件は、２５℃〜３０℃、相対湿度２３％〜５３％、蛍光灯を連続的に点灯するというものであった。各処理は、４回繰り返された。各処理は以下の通りであった。
（１）誘引物質で処理された接着ボード（ＣＢ  Ｐｒｏｆｅｓｓｉｏｎａｌ  ｐｒｏｄｕｃｔｓから入手されるＣＢ  Ｉｎｔｅｌｌｉｌｉｇｈｔ  Ｕｎｉｖｅｒｓａｌ接着ボード）を誘虫灯に備える。
（２）新たに開封した殺虫剤／誘引物質の挿入物を誘虫灯に１個備える。
（３）劣化した殺虫剤／誘引物質の挿入物を誘虫灯に１個備える。
（４）誘虫灯を備えずに、殺虫剤／誘引物質の挿入物を戸棚に直接固定する。
（５）接着ボードまたは殺虫剤／誘引物質の挿入物を誘虫灯に備えない。
（６）誘虫灯を備えず、接着ボードまたは殺虫剤／誘引物質の挿入物を備えない。
【００１６】
以下の表１に、各処理に対して、２４、４８および７２時間でのハエの死亡率（％）をまとめた。
【００１７】
【表１】
2013516189.tif 000002
【００１８】
表１のデータから分かるように、ハエの誘虫灯で用いた場合、殺虫剤／誘引物質の挿入物によって、接着ボードと同程度にハエを防除できた。ハエの死骸は、取り外し可能なトレイ内に含まれるので、捕獲器から簡単に取り除かれた。昆虫の死骸は、接着ボードの捕獲器と同様に、視認できなかった。殺虫剤／誘引物質の挿入物は、昆虫の死骸で一杯にならないので、接着ボードと同じ頻度で交換する必要はない。そのため、消費者の金銭と時間を節約できる。
【００１９】
当業者であれば、本発明に種々の変形を用いることができることと、本発明は本願明細書に具体的に記載された以外でも実施できることが意図されていることを理解するであろう。したがって、本発明には、以下の特許請求の範囲で定められたように、本発明の精神および範囲に包含される全ての修正が含まれる。
【国際調査報告】
2013516189.tif 000003
2013516189.tif 000004